(57)【要約】【課題】樹脂製窓板の表面のデフォッガ線と、樹脂製窓板端縁との間の限られたスペース内に対し、端子保持体を容易に形成することができる接続端子構造を提供する。【解決手段】樹脂製窓板１０の表面には、デフォッガ線１１を隔てて一対をなす端子保持体２０が一体成形される。一対の端子保持体２０は、接続端子部材３０を差し込み可能な差込空間Ｓを樹脂製窓板１０の表面との間に構成する側壁部２１及び上壁部２２とを有する。接続端子部材３０は、差込空間Ｓに差し込まれることでデフォッガ線１１と対向するデフォッガ線接続部３１と、デフォッガ線接続部３１から一体状に延出されるリード線接続部３４と、を有している。【選択図】図１
2015116993.tif 000002
【特許請求の範囲】
【請求項１】
樹脂製窓板の表面に配設されたデフォッガ線を、接続端子部材を介してリード線に接続する樹脂製窓板のデフォッガ線の接続端子構造であって、
前記樹脂製窓板の表面には、前記デフォッガ線を隔てて一対をなす端子保持体が前記樹脂製窓板と同一樹脂材料によって一体成形され、
前記一対の端子保持体は、前記デフォッガ線の長手方向に平行する方向に延びかつ前記接続端子部材を差し込み可能な差込空間を前記樹脂製窓板の表面との間に構成する側壁部及び上壁部とを有し、
前記接続端子部材は、前記差込空間に差し込まれることで前記デフォッガ線と通電可能に対向するデフォッガ線接続部と、
前記デフォッガ線接続部の差込端部と反対側端部から一体状に延出され、かつ前記リード線が接続されるリード線接続部と、を有していることを特徴とする樹脂製窓板のデフォッガ線の接続端子構造。
【請求項２】
請求項１に記載の樹脂製窓板のデフォッガ線の接続端子構造であって、
接続端子部材は、デフォッガ線接続部の両側部に一体に形成され、かつ一対の端子保持体の上壁部下面に弾性変形して圧着することで、前記デフォッガ線接続部を前記デフォッガ線と通電可能な接触状態に付勢して保持する両ばね部を有していることを特徴とする樹脂製窓板のデフォッガ線の接続端子構造。
【請求項３】
請求項１又は２に記載の樹脂製窓板のデフォッガ線の接続端子構造であって、
一対の端子保持体は、接続端子部材の差込量を規制する奥壁部を有していることを特徴とする樹脂製窓板のデフォッガ線の接続端子構造。
【請求項４】
請求項１〜３のいずれか一項に記載の樹脂製窓板のデフォッガ線の接続端子構造であって、
接続端子部材のリード線接続部は、デフォッガ線接続部の差込端部と反対側端部から折り返し状に屈曲されて形成されていることを特徴とする樹脂製窓板のデフォッガ線の接続端子構造。
【請求項５】
請求項１〜３のいずれか一項に記載の樹脂製窓板のデフォッガ線の接続端子構造であって、
接続端子部材のリード線接続部は、デフォッガ線接続部の差込端部と反対側端部からデフォッガ線に対し離反する方向に段差部をもって形成されていることを特徴とする樹脂製窓板のデフォッガ線の接続端子構造。
【請求項６】
請求項１〜５のいずれか一項に記載の樹脂製窓板のデフォッガ線の接続端子構造であって、
リード線接続部には、リード線の端末部が直接に接続されることを特徴とする樹脂製窓板のデフォッガ線の接続端子構造。
【発明の詳細な説明】
【技術分野】
【０００１】
この発明は、主として車両のリヤウインドウに用いられる樹脂製窓板において、その表面に配設されたデフォッガ線を、接続端子部材を介してリード線に接続する樹脂製窓板のデフォッガ線の接続端子構造に関する。
【背景技術】
【０００２】
従来、樹脂製窓板のデフォッガ線の接続端子構造としては、例えば、特許文献１に開示されている。
特許文献１に開示された樹脂製窓板のデフォッガ線の接続端子構造においては、樹脂製窓板の表面に配設されたデフォッガ線の樹脂製窓板端縁側に位置する部分に対し、端子保持体が樹脂製窓板と同一樹脂材料によって一体成形されている。
そして、デフォッガ線が延びる方向と交差する方向から接続端子部材が端子保持体の開口部を通して差し込まれて保持される。
【先行技術文献】
【特許文献】
【０００３】
【特許文献１】特開２００２−１６０５１９号公報
【発明の概要】
【発明が解決しようとする課題】
【０００４】
ところで、特許文献１に開示された樹脂製窓板のデフォッガ線の接続端子構造においては、端子保持体に対し、接続端子部材を安定よく保持するためには、端子保持体に対する接続端子部材の差込量を大きくする必要がある。
接続端子部材の差込量を大きくするためには、その分だけ端子保持体を樹脂製窓板端縁側に向けて大きく形成しなければならない。このため、樹脂製窓板の表面のデフォッガ線の樹脂製窓板端縁側の限られたスペース内に対し、端子保持体を形成することが困難となったり、デフォッガ線を配線する領域が狭くなる場合がある。
【０００５】
この発明の目的は、前記問題点に鑑み、樹脂製窓板の表面のデフォッガ線と、樹脂製窓板端縁との間の限られたスペース内に対し、端子保持体を容易に形成することができる樹脂製窓板のデフォッガ線の接続端子構造を提供することである。
【課題を解決するための手段】
【０００６】
前記課題を解決するために、この発明の第１の発明に係る樹脂製窓板のデフォッガ線の接続端子構造は、樹脂製窓板の表面に配設されたデフォッガ線を、接続端子部材を介してリード線に接続する樹脂製窓板のデフォッガ線の接続端子構造であって、
前記樹脂製窓板の表面には、前記デフォッガ線を隔てて一対をなす端子保持体が前記樹脂製窓板と同一樹脂材料によって一体成形され、
前記一対の端子保持体は、前記デフォッガ線の長手方向に平行する方向に延びかつ前記接続端子部材を差し込み可能な差込空間を前記樹脂製窓板の表面との間に構成する側壁部及び上壁部とを有し、
前記接続端子部材は、前記差込空間に差し込まれることで前記デフォッガ線と通電可能に対向するデフォッガ線接続部と、
前記デフォッガ線接続部の差込端部と反対側端部から一体状に延出され、かつ前記リード線が接続されるリード線接続部と、を有していることを特徴とする。
【０００７】
第１の発明によると、接続端子部材のデフォッガ線接続部が、一対の端子保持体と樹脂製窓板の表面との間の差込空間に差し込まれることで、デフォッガ線接続部がデフォッガ線と通電可能な接触状態に保持される。
また、デフォッガ線接続部の差込端部と反対側端部から一体状に延出されたリード線接続部に対しリード線が接続される。
一対の端子保持体は、デフォッガ線の長手方向に平行する方向に延びかつ接続端子部材を差し込み可能な差込空間を樹脂製窓板の表面との間に構成する側壁部及び上壁部とを有している。
これによって、一対の端子保持体に対する接続端子部材の差し込み方向がデフォッガ線の長手方向に平行する方向となるため、一対の端子保持体に対する接続端子部材の差込量を所望とする大きさに容易に設定することができる。
また、一対をなす端子保持体のうち、一方の端子保持体を、樹脂製窓板の内側に形成し、他方の端子保持体を、デフォッガ線と樹脂製窓板端縁との間の限られたスペース内に容易に形成することができる。
【０００８】
この発明の第２の発明に係る樹脂製窓板のデフォッガ線の接続端子構造は、第１の発明の樹脂製窓板のデフォッガ線の接続端子構造であって、
接続端子部材は、デフォッガ線接続部の両側部に一体に形成され、かつ一対の端子保持体の上壁部下面に弾性変形して圧着することで、前記デフォッガ線接続部を前記デフォッガ線と通電可能な接触状態に付勢して保持する両ばね部を有していることを特徴とする。
【０００９】
第２の発明によると、接続端子部材のデフォッガ線接続部及び両ばね部が、一対の端子保持体と樹脂製窓板の表面との間の差込空間に差し込まれることで、両ばね部が一対の端子保持体の上壁部下面にそれぞれ弾性変形して圧着する。そして、両ばね部の付勢力（弾性変形による弾発力）によってデフォッガ線接続部がデフォッガ線と通電可能な接触状態に良好に保持されるため、デフォッガ線接続部とデフォッガ線との接触不良を抑制することができる。
【００１０】
この発明の第３の発明に係る樹脂製窓板のデフォッガ線の接続端子構造は、第１の発明又は第２の発明の樹脂製窓板のデフォッガ線の接続端子構造であって、
一対の端子保持体は、接続端子部材の差込量を規制する奥壁部を有していることを特徴とする。
【００１１】
第３の発明によると、接続端子部材の先端が一対の端子保持体の奥壁部に当接する位置まで差し込むことで、これ以上奥側へ接続端子部材が差し込まれることがない。
このため、一対の端子保持体に対する接続端子部材の差込量に過不足が生じることを抑制することができる。
【００１２】
この発明の第４の発明に係る樹脂製窓板のデフォッガ線の接続端子構造は、第１〜３のいずれかの発明の樹脂製窓板のデフォッガ線の接続端子構造であって、
接続端子部材のリード線接続部は、デフォッガ線接続部の差込端部と反対側端部から折り返し状に屈曲されて形成されていることを特徴とする。
【００１３】
第４の発明によると、接続端子部材のリード線接続部が、デフォッガ線接続部の差込端部と反対側端部から折り返し状に屈曲されて形成されることで、リード線の端末に設けられた端末接続具を、接続端子部材の差込方向と逆方向から接続端子部材のリード線接続部に差し込んで接続することができる。
【００１４】
この発明の第５の発明に係る樹脂製窓板のデフォッガ線の接続端子構造は、第１〜３のいずれかの発明の樹脂製窓板のデフォッガ線の接続端子構造であって、
接続端子部材のリード線接続部は、デフォッガ線接続部の差込端部と反対側端部からデフォッガ線に対し離反する方向に段差部をもって形成されていることを特徴とする。
【００１５】
第５の発明によると、接続端子部材のリード線接続部が、デフォッガ線接続部の差込端部と反対側端部からデフォッガ線に対し離反する方向に段差部をもって形成されることで、リード線の端末に設けられた端末接続具を、接続端子部材の差込方向と同方向から接続端子部材のリード線接続部に差し込んで接続することができる。
【００１６】
この発明の第６の発明に係る樹脂製窓板のデフォッガ線の接続端子構造は、第１〜５のの発明のいずれかの発明の樹脂製窓板のデフォッガ線の接続端子構造であって、
リード線接続部には、リード線の端末部が直接に接続されることを特徴とする。
【００１７】
第６の発明によると、接続端子部材のリード線接続部に対し、リード線の端末部が直接に接続されることで、リード線の端末に端末接続具を設ける必要がなくなり、構造が簡単となる。
【図面の簡単な説明】
【００１８】
【図１】この発明の実施例１に係る樹脂製窓板のデフォッガ線の接続端子構造を示す斜視図である。
【図２】同じく図１のＩＩ−ＩＩ線に沿う樹脂製窓板のデフォッガ線の接続端子構造を示す縦断面図である。
【図３】同じく図１のＩＩＩ−ＩＩＩ線に沿う樹脂製窓板のデフォッガ線の接続端子構造を示す横断面図である。
【図４】同じく接続端子部材を示す斜視図である。
【図５】この発明の実施例２に係る樹脂製窓板のデフォッガ線の接続端子構造に用いる接続端子部材を示す斜視図である。
【図６】この発明の実施例３に係る樹脂製窓板のデフォッガ線の接続端子構造に用いる接続端子部材を示す斜視図である。
【発明を実施するための形態】
【００１９】
この発明を実施するための形態について実施例にしたがって説明する。
【実施例１】
【００２０】
この発明の実施例１に係る樹脂製窓板のデフォッガ線の接続端子構造を図１〜図４にしたがって説明する。
図１に示すように、車両のリヤウインドウに用いられる樹脂製窓板１０は、ポリカーボネート樹脂、アクリル樹脂等の透明な樹脂材料によって、車両のリヤウインドウの窓開口部に対応する形状に形成されている。
樹脂製窓板１０の表面（車室側の表面）には、左右両側部の縦方向のデフォッガ線１１（図１では片側のデフォッガ線を示す）と、これらデフォッガ線１１の間に跨って接続された複数の横方向のデフォッガ線（図示しない）とが配線されている。
デフォッガ線１１は、導電性金属粉が混入された導電性及び接着性を有する樹脂材料が樹脂製窓板１０の表面に塗布された後、硬化されることで樹脂製窓板１０の表面に配線される。
【００２１】
樹脂製窓板１０の表面には、デフォッガ線１１を隔てて一対をなす端子保持体２０が配設されている。これら一対の端子保持体２０は、樹脂製窓板１０が樹脂材料によって成形されると同時に、樹脂製窓板１０と同一樹脂材料によって一体成形されている。
図１〜図３に示すように、一対の端子保持体２０は、デフォッガ線１１の長手方向に平行する方向に延びて長尺状をなしかつ次に述べる接続端子部材３０を差し込み可能な差込空間Ｓを樹脂製窓板１０の表面との間に構成する側壁部２１及び上壁部２２と、これら壁部２１、２２の一端部を塞ぐようにして一体に形成されて接続端子部材３０の差込量を規制する奥壁部２３とを有している。
【００２２】
図１〜図４に示すように、接続端子部材３０は、導電性の金属板よりなり、デフォッガ線接続部３１と、そのデフォッガ線接続部３１の基端部３１ａで繋がれた状態でスリット状の切り込み部３１ｂが形成されかつデフォッガ線接続部３１の両側部で上方へ切り起こし状に形成された両ばね部３３と、デフォッガ線接続部３１の先端部（デフォッガ線接続部３１の差込端部と反対側端部）から一体に延出されたリード線接続部３４とを有している。
そして、デフォッガ線接続部３１は、両ばね部３３と共に差込空間Ｓに差し込まれることで、デフォッガ線１１と通電可能に対向している。また、デフォッガ線接続部３１には、デフォッガ線１１に向けて突出された複数又は単数の導通用凸部３２が形成されている。
【００２３】
デフォッガ線接続部３１の両ばね部３３は、デフォッガ線接続部３１と共に差込空間Ｓに弾性変形されながら差し込まれることで、一対の端子保持体２０のそれぞれの上壁部２２下面に弾性変形して圧着する。これによって、デフォッガ線接続部３１の導通用凸部３２をデフォッガ線１１と通電可能な接触状態に付勢して保持する。
また、この実施例１において、リード線接続部３４は、デフォッガ線接続部３１の差込端部と反対側端部から折り返し状に屈曲されて形成され、その先端部寄りには、リード線４０の端末接続具４１に対し接触状態を確保するための導通用凸部３５が形成されている。
【００２４】
この実施例１に係る樹脂製窓板のデフォッガ線の接続端子構造は上述したように構成される。
したがって、樹脂製窓板１０のデフォッガ線１１に対し、接続端子部材３０を介してリード線４０を接続する場合、接続端子部材３０のデフォッガ線接続部３１が、両ばね部３３と共に、これら両ばね部３３を弾性変形させながら差込空間Ｓに差し込まれる。
接続端子部材３０のデフォッガ線接続部３１の基部３１ａが一対の端子保持体２０の奥壁部２３に当接する位置まで差し込まれると、両ばね部３３の弾性変形による弾発力によって、これら両ばね部３３の先端が、一対の端子保持体２０の上壁部２２下面にそれぞれ圧着する。
そして、両ばね部３３の付勢力（弾性変形による弾発力）によってデフォッガ線接続部３１の導通用凸部３２がデフォッガ線１１に通電可能な接触状態に保持される（図２参照）。
その後、リード線４０端末の端末接続具４１が、前記した接続端子部材３０の差込方向と逆方向からリード線接続部３４に差し込んで接続することで、樹脂製窓板１０のデフォッガ線１１に対し、接続端子部材３０を介してリード線４０が接続される。
【００２５】
樹脂製窓板１０に一体に形成された一対の端子保持体２０は、デフォッガ線１１の長手方向に平行する方向に延びて長尺状をなしかつ接続端子部材３０が差し込み可能な差込空間Ｓを樹脂製窓板１０の表面との間に構成する側壁部２１及び上壁部２２と、接続端子部材３０の差込量を規制する奥壁部２３とを有している。
これによって、一対の端子保持体２０に対する接続端子部材３０の差し込み方向がデフォッガ線１１の長手方向に平行する方向となる。このため、一対の端子保持体２０に対する接続端子部材３０の差込量を所望とする大きさに容易に設定することができる。
また、一対をなす端子保持体２０のうち、一方の端子保持体２０ａを、樹脂製窓板１０の内側に形成し、他方の端子保持体２０ｂを、デフォッガ線１１と樹脂製窓板１０端縁との間の限られたスペース内に容易に形成することができる。
【実施例２】
【００２６】
次に、この発明の実施例２に係る樹脂製窓板のデフォッガ線の接続端子構造を図５にしたがって説明する。
この実施例２においては、接続端子部材３０のリード線接続部１３４の形状を変更したものであり、図５に示すように、接続端子部材３０のリード線接続部１３４は、デフォッガ線接続部３１の先端部（デフォッガ線接続部３１の差込端部と反対側端部）からデフォッガ線１１に対し離反する方向に段差部１３４ａをもって形成されている。
接続端子部材３０のその他の構成は実施例１と同様にして構成されるため、同一構成部分に対し同一符号を付記してその説明は省略する。
また、この実施例２の接続端子部材３０以外の構成においても、実施例１と同様に構成されるためその説明は省略する。
【００２７】
したがって、この実施例２によると、実施例１と同様の作用効果を奏する。
特に、この実施例２においては、リード線の端末接続具を、接続端子部材３０の差込方向と同方向から接続端子部材３０のリード線接続部１３４に差し込んで接続することができる。
【実施例３】
【００２８】
次に、この発明の実施例３に係る樹脂製窓板のデフォッガ線の接続端子構造を図６にしたがって説明する。
この実施例３においては、図６に示すように、実施例１で述べた接続端子部材３０のリード線接続部３４に対し、リード線４０の端末部４０ａをはんだ付けやビス等によって直接に接続されている。
また、接続端子部材３０は、そのリード線接続部３４に対し、リード線４０の端末部４０ａが直接に接続される以外は実施例１と同様に構成されるため、同一構成部分に対し同一符号を付記してその説明は省略する。
また、この実施例３の接続端子部材３０以外の構成においても、実施例１と同様に構成されるためその説明は省略する。
【００２９】
したがって、この実施例３によると、実施例１と同様の作用効果を奏する。
特に、この実施例３においては、接続端子部材３０のリード線接続部３４に対し、リード線４０の端末部４０ａが直接に接続されることで、リード線４０の端末部４０ａに端末接続具を設ける必要がなくなり、構造が簡単となる。
【００３０】
なお、この発明は前記実施例１に限定するものではなく、この発明の要旨を逸脱しない範囲内において、種々の形態で実施することができる。
例えば、前記実施例１〜３において、接続端子部材３０のデフォッガ線接続部３１の両側部に両ばね部３３が上方へ切り起こし状に形成された場合を例示したが、両ばね部３３に替えて、一対の端子保持体２０の側壁の高さ（差込空間Ｓ）を開口側から奥側に向けてしだいに狭くなるテーパ状に形成することで、デフォッガ線接続部３１とデフォッガ線１１とを通電可能な接触状態に保持することも可能である。
また、前記実施例１〜３において、一対の端子保持体２０の奥壁部２３によって接続端子部材３０のデフォッガ線接続部３１の基部３１ａの差込量を規制するように構成したが、接続端子部材３０側に差込量を規制する規制部を形成することも可能であり、この場合には、一対の端子保持体２０に対し奥壁部２３が形成されない構成にすることができる。
また、実施例２で述べた接続端子部材３０のリード線接続部１３４に対しリード線４０の端末部４０ａをはんだ付けやビス等によって直接に接続してもよい。
【符号の説明】
【００３１】
１０  樹脂製窓板
１１  デフォッガ線
２０  一対の端子保持体
２１  側壁部
２２  上壁部
２３  奥壁部
３０  接続端子部材
３１  デフォッガ線接続部
３３  ばね部
３４  リード線接続部
４０  リード線
４１  端末接続具
【図１】
2015116993.tif 000003
【図２】
2015116993.tif 000004
【図３】
2015116993.tif 000005
【図４】
2015116993.tif 000006
【図５】
2015116993.tif 000007
【図６】
2015116993.tif 000008